(57)【要約】      （修正有）【課題】リアルタイムにモニタリングすることができる無線モニタリングシステムを提供する。【解決手段】複数のカメラ１１、イメージプロセッサー１３、無線発信機１５及び送信アンテナ１７を含むイメージ発送モジュール１０と、受信アンテナ３１、無線レシーバー３３及び表示装置３７を含む遠隔モニタリングモジュール３０と、を備え、イメージプロセッサー１３は、複数のカメラ１１によって捕らえられた複数のイメージを受け取り、モニタリングイメージを形成して、モニタリングイメージ信号を送信し、無線発信機１５は、モニタリングイメージ信号を受信して送信アンテナ１７によって遠隔モニタリングモジュール３０に発送し、無線レシーバー３３は、受信アンテナ３１によって送信アンテナ１７からのモニタリングイメージ信号を受信して表示装置３７に送信する。【選択図】図１
0003176810.tif 000002
【実用新案登録請求の範囲】
【請求項１】
コンテナーデータセンターに対してリアルタイムにモニタリンクするために用いられ、複数のカメラ、イメージプロセッサー、無線発信機及び送信アンテナを含むイメージ発送モジュールと、受信アンテナ、無線レシーバー及び表示装置を含む遠隔モニタリングモジュールと、を備えてなる無線モニタリングシステムであって、
前記イメージプロセッサーは、複数の前記カメラによって捕らえられた複数のイメージを受け取り、各々の前記イメージを縮小してから、縮小された複数のイメージを整合してモニタリングイメージを形成して、モニタリングイメージ信号を送信し、
前記無線発信機は、前記イメージプロセッサーから送信する前記モニタリングイメージ信号を受信し、且つ前記モニタリングイメージ信号を増幅してから前記送信アンテナによって前記遠隔モニタリングモジュールに発送し、
前記無線レシーバーは、前記受信アンテナによって前記送信アンテナから発送するモニタリングイメージ信号を受信して前記表示装置に送信し、
前記表示装置はモニタリングイメージを表示することを特徴とする無線モニタリングシステム。
【請求項２】
前記遠隔モニタリングモジュールは、信号フィルターをさらに備え、前記信号フィルターは、前記無線レシーバーが受信した前記モニタリングイメージ信号に対してフィルタリング処理を行うことを特徴とする請求項１に記載の無線モニタリングシステム。
【請求項３】
前記イメージ発送モジュールは、前記アンテナに電気的に接続されるアンテナインターフェースをさらに備え、前記アンテナは前記アンテナインターフェースに着脱可能に装着されることを特徴とする請求項１に記載の無線モニタリングシステム。
【請求項４】
前記アンテナインターフェースは、前記コンテナーデータセンターのコンテナーの外部に設置されることを特徴とする請求項３に記載の無線モニタリングシステム。
【考案の詳細な説明】
【技術分野】
【０００１】
本考案は、コンテナーデータセンター（Ｃｏｎｔａｉｎｅｒ  Ｄａｔｅ  Ｃｅｎｔｅｒ，ＣＤＣ）に応用される無線モニタリングシステムに関するものである。
【背景技術】
【０００２】
コンテナーデータセンターは、便利に移動することができ且つ強いデータ処理能力及び高い商業価値を有するので、広く応用される。コンテナーデータセンターの内部には、サーバー、記憶装置及びネットワーク設備などが設置されており、使用過程でコンテナーデータセンターのサーバー、記憶装置などに対して定期的にモニタリングすることを必要とする。従来の技術において、一般的に作業者が直接にコンテナー内部に入ってコンテナーデータセンターのサーバー、記憶装置などを検査する。
【考案の開示】
【考案が解決しようとする課題】
【０００３】
しかし、コンテナーデータセンターは、移動性が強く、需要によって随時に移動することができ、且つ遠い地区に設置することができるので、作業者がリアルタイムにコンテナー内部に入ってコンテナーデータセンターのサーバー、記憶装置をモニタリングすることは不便である。
【０００４】
本考案の目的は、前記課題を解決し、コンテナーデータセンターに対してリアルタイムにモニタリングすることができる無線モニタリングシステムを提供することである。
【課題を解決するための手段】
【０００５】
本考案に係る無線モニタリングシステムは、コンテナーデータセンターに対してリアルタイムにモニタリンクするために用いられ、複数のカメラ、イメージプロセッサー、無線発信機及び送信アンテナを含むイメージ発送モジュールと、受信アンテナ、無線レシーバー及び表示装置を含む遠隔モニタリングモジュールと、を備え、前記イメージプロセッサーは、複数の前記カメラによって捕らえられた複数のイメージを受け取り、各々の前記イメージを縮小してから、縮小された複数のイメージを整合してモニタリングイメージを形成して、モニタリングイメージ信号を送信し、前記無線発信機は、前記イメージプロセッサーから送信する前記モニタリングイメージ信号を受信し、且つ前記モニタリングイメージ信号を増幅してから前記送信アンテナによって前記遠隔モニタリングモジュールに発送し、前記無線レシーバーは、前記受信アンテナによって前記送信アンテナから発送するモニタリングイメージ信号を受信して前記表示装置に送信し、前記表示装置はモニタリングイメージを表示する。
【考案の効果】
【０００６】
本考案の無線モニタリングシステムは、複数のカメラをコンテナーデータセンターの内部の異なる箇所に取り付けて、モニタリングしようとする設備のビデオ信号を収集してから無線通信によって遠隔モニタリングモジュールに送信して、前記遠隔モニタリングモジュールの表示装置にモニタリングイメージを表示する。従ってユーザーはコンテナーデータセンターに対して遠隔でリアルタイムにモニタリングすることができる。
【図面の簡単な説明】
【０００７】
【図１】本考案の実施形態に係る無線モニタリングシステムのブロック図である。
【考案を実施するための形態】
【０００８】
以下、図面を参照して、本考案の実施形態について説明する。
【０００９】
図１を参照すると、本考案に係る無線モニタリングシステム１００は、コンテナーデータセンター（図示せず）に対してリアルタイムにモニタリンクするために用いられるものである。前記無線モニタリングシステム１００は、イメージ発送モジュール１０及び遠隔モニタリングモジュール３０を備える。前記イメージ発送モジュール１０は、前記コンテナーデータセンターに設置され、前記遠隔モニタリングモジュール３０は、前記コンテナーデータセンターから離れている所に設置される。前記イメージ発送モジュール１０は、コンテナーデータセンターの内部の異なる領域を撮影して獲得したイメージを前記遠隔モニタリングモジュール３０に発送する。
【００１０】
前記イメージ発送モジュール１０は、複数のカメラ１１、イメージプロセッサー１３、無線発信機１５及び送信アンテナ１７を備える。
【００１１】
複数の前記カメラ１１は、前記コンテナーデータセンターの内部の異なる箇所に取り付けられて、モニタリングされる設備が複数の前記カメラ１１から構成するモニタリング範囲に位置することにする。各々の前記カメラ１１は、全て前記イメージプロセッサー１３に電気的に接続される。
【００１２】
前記イメージプロセッサー１３は、複数の前記カメラ１１によって捕らえられた複数のイメージを受け取り、各々の前記イメージをその１/Ｎ（Ｎは、前記カメラ１１の数である）に縮小してから、縮小された複数のイメージを整合してモニタリングイメージを形成し、ついでモニタリングイメージ信号を送信する。
【００１３】
前記無線発信機１５は、前記イメージプロセッサー１３に電気的に接続されて、前記イメージプロセッサー１３から送信するモニタリングイメージ信号を受信し、且つ前記モニタリングイメージ信号を増幅してから前記送信アンテナ１７によって前記遠隔モニタリングモジュール３０に発送する。本実施形態において、前記無線発信機１５は、ハイパワーの無線発信機である。
【００１４】
前記イメージ発送モジュール１０は、前記無線発信機１５に電気的に接続されたアンテナインターフェース１９をさらに備える。前記アンテナインターフェース１９は、前記コンテナーデータセンターのコンテナーの外部に設置される。前記送信アンテナ１７は、前記アンテナインターフェース１９に着脱可能に装着される。前記送信アンテナ１７を前記アンテナインターフェース１９に装着する場合、前記送信アンテナ１７は前記アンテナインターフェース１９によって前記無線発信機１５に電気的に接続される。前記コンテナーデータセンターを移動する場合、前記アンテナインターフェース１９に装着された前記送信アンテナ１７を取り外して、前記コンテナーデータセンターを便利に移動することができる。
【００１５】
前記遠隔モニタリングモジュール３０は、受信アンテナ３１、無線レシーバー３３、信号フィルター３５及び表示装置３７を備える。
【００１６】
前記無線レシーバー３３の受信信号バンドと前記無線発信機１５の発送信号バンドは同じである。前記無線レシーバー３３は、前記受信アンテナ３１によって前記送信アンテナ１７から発送するモニタリングイメージ信号を受信して、前記信号フィルター３５に送信する。前記信号フィルター３５は、前記モニタリングイメージ信号の中のノイズをフィルタリングしてから前記表示装置３７に送信する。前記表示装置３７は、モニタリングイメージを表示する。
【００１７】
複数の前記無線モニタリングシステム１００によって複数のコンテナーデータセンターをモニタリングする場合、異なる前記無線モニタリングシステム１００の無線発信機１５の発送信号バンドは異なり、従って異なる無線レシーバー３３の受信信号バンドも異なり、従って異なる前記無線モニタリングシステム１００の間の妨害を免れる。
【００１８】
前記無線モニタリングシステム１００は、複数の前記カメラ１１をコンテナーデータセンターの内部の異なる箇所に取り付けて、モニタリングしようとする設備のビデオ信号を収集してから無線通信によって前記遠隔モニタリングモジュール３０に送信して、前記表示装置３７にモニタリングイメージを表示する。従ってユーザーはコンテナーデータセンターに対して遠隔でリアルタイムにモニタリングすることができる。
【００１９】
以上、本考案を実施例に基づいて具体的に説明したが、本考案は、上述の実施例に限定されるものではなく、その要旨を逸脱しない範囲において、種種の変更が可能であることは勿論であって、本考案の技術的範囲は、以下の特許請求の範囲から決まる。
【符号の説明】
【００２０】
１０  イメージ発送モジュール
１１  カメラ
１３  イメージプロセッサー
１５  無線発信機
１７  送信アンテナ
１９  アンテナインターフェース
３０  遠隔モニタリングモジュール
３１  受信アンテナ
３３  無線レシーバー
３５  信号フィルター
３７  表示装置
１００  無線モニタリングシステム
【図１】
0003176810.tif 000003